【手続補正書】
【提出日】平成16年1月22日(2004.1.22)
【手続補正１】
【補正対象書類名】明細書
【補正対象項目名】特許請求の範囲
【補正方法】変更
【補正の内容】
【特許請求の範囲】
【請求項１】
ユーザが操作するユーザ端末とネットワークを通じて接続された情報個別管理システムであって、
前記ユーザが選択した前記ユーザ端末のディスプレイに表示するコンテンツデータを特定する情報及び前記コンテンツデータのディスプレイ上の表示位置に関する情報を含む個別データを、前記ユーザ端末より受信する個別データ受信手段と、
前記個別データ受信手段が受信した個別データに、前記ユーザを識別する識別情報を付した個別表示データリストをユーザ別に格納する個別表示データリスト格納手段と、
ユーザ端末のディスプレイに表示するコンテンツデータの表示要求を、前記ユーザ端末より受信する表示要求受信手段と、
前記表示要求を受信すると、前記個別データ格納手段に格納された個別表示データリストから、前記表示要求を行ったユーザに対応する個別表示データリストを特定して前記ユーザ端末に送信する個別表示データリスト送信手段と、
を備えていて、
前記個別表示データリスト格納手段に格納された個別データは、前記コンテンツデータを前記コンテンツデータの格納場所であるアドレスから特定し、
前記個別表示データリスト送信手段は、前記表示要求を行ったユーザに対応する個別表示データリストを前記識別情報をキーに特定すること
を特徴とする情報個別管理システム。
【請求項２】
コンテンツデータを提供する提供者端末より、前記コンテンツデータの格納場所であるアドレスと前記コンテンツデータを配信するユーザに関する情報を受信する配信情報受信手段と、
前記配信情報受信手段が受信したユーザに関する情報から前記コンテンツデータを配信する配信先ユーザを特定し、前記個別表示データリスト格納手段の前記配信先ユーザに対応する個別表示データリストに前記アドレスを書き込むアドレス書込手段と、を備えること
を特徴とする請求項１記載の情報個別管理システム。
【請求項３】
前記個別表示データリスト格納手段に格納される個別表示データリストには、前記コンテンツデータの表示属性又は前記コンテンツデータの表示タイミングの少なくとも一つに関する情報が格納されていて、
前記コンテンツデータはユーザ端末において前記表示属性又は前記表示タイミングに従って表示されること
を特徴とする請求項１又は２記載の情報個別管理システム。
【請求項４】
前記個別表示データリスト格納手段に格納されたコンテンツデータを特定する情報を更新するコンテンツデータ更新手段を備えていて、
前記コンテンツデータ更新手段は、前記コンテンツデータを特定する情報であるアドレスに、前記コンテンツデータを特定する情報の更新時刻を示すパラメータを付したデータを前記個別表示データリスト格納手段に格納すること
を特徴とする請求項１乃至３いずれかに記載の情報個別管理システム。
【請求項５】
ユーザが操作するユーザ端末と、前記ユーザ端末とネットワークを通じて接続された情報格納サーバとの間でデータの送受信を行う情報個別管理方法であって、
前記ユーザ端末が、前記ユーザが選択した前記ユーザ端末のディスプレイに表示するコンテンツデータを特定する情報及び前記コンテンツデータのディスプレイ上の表示位置に関する情報を含む個別データを、前記情報格納サーバに送信するステップと、
前記情報格納サーバが、前記個別データを受信して、前記個別データに前記ユーザを識別する識別情報を付した個別表示データリストをユーザ別に格納するステップと、
前記ユーザ端末が、ユーザ端末のディスプレイに表示するコンテンツデータの表示要求を前記情報格納サーバに送信するステップと、
前記情報格納サーバが、前記表示要求を受信して、前記情報格納サーバに格納された個別表示データリストから、前記表示要求を行ったユーザに対応する個別表示データリストを特定して前記ユーザ端末に送信するステップと、
前記ユーザ端末が、前記個別表示データリストに従って前記ユーザ端末のディスプレイにコンテンツデータを表示するステップと、
を有していて、
前記情報格納サーバに格納された個別データは、前記コンテンツデータを前記コンテンツデータの格納場所であるアドレスから特定し、
前記情報格納サーバは、前記表示要求を行ったユーザに対応する個別表示データリストを前記識別情報をキーに特定すること
を特徴とする情報個別管理方法。
【請求項６】
ユーザが操作するユーザ端末において、前記ユーザ端末とネットワークを通じて接続された情報格納サーバとの間でデータの送受信を行うための情報個別管理プログラムであって、前記ユーザ端末に、
前記ユーザが選択した前記ユーザ端末のディスプレイに表示するコンテンツデータを特定する情報及び前記コンテンツデータのディスプレイ上の表示位置に関する情報を含む個別データを、前記情報格納サーバに前記個別データに前記ユーザを識別する識別情報を付した個別表示データリストとしてユーザ別に格納するために送信するステップと、
前記ユーザ端末のディスプレイに表示するコンテンツデータの表示要求を前記情報格納サーバに送信するステップと、
前記情報格納サーバに格納された個別表示データリストから、前記識別情報をキーに特定された前記ユーザに対応する個別表示データリストを受信するステップと、
前記個別表示データリストに従って前記ユーザ端末のディスプレイにコンテンツデータを表示するステップと、
を実行させるためのプログラムであって、
前記個別データにおいて、前記コンテンツデータは前記コンテンツデータの格納場所であるアドレスから特定されていること
を特徴とする情報個別管理プログラム。
【手続補正２】
【補正対象書類名】明細書
【補正対象項目名】発明の名称
【補正方法】変更
【補正の内容】
【発明の名称】情報個別管理システム、情報個別管理方法及び情報個別管理プログラム
【手続補正３】
【補正対象書類名】明細書
【補正対象項目名】００１２
【補正方法】変更
【補正の内容】
【００１２】
【発明の属する技術分野】
本発明は、ネットワークを介してユーザ端末に於いて最新のデータを保存し格納する情報個別管理システム、情報個別管理方法及び情報個別管理プログラムに関する。更に詳しくは、ユーザ毎に必要となる個別データ格納空間を情報格納サーバ上に作成し、その個別データ格納空間にはユーザに必要となるデータの格納先を格納することにより少ない容量でユーザ毎に適した情報を送信し提供する情報個別管理システム、情報個別管理方法及び情報個別管理プログラムに関する。


【手続補正４】
【補正対象書類名】明細書
【補正対象項目名】０００５
【補正方法】変更
【補正の内容】
【０００５】
【課題を解決するための手段】
本発明者らは上記問題点に鑑み、ユーザ毎の情報を格納できる情報格納サーバに、ユーザ毎に参照できる個別データ格納空間を作成することによって、ユーザが使用している端末のＩＰアドレスに左右されることなく、ユーザがどのような端末を使用していようとも、情報格納サーバに格納しているユーザ毎の情報を送信し提供できる、情報個別管理システム、情報個別管理方法及び情報個別管理プログラムを考案した。


【手続補正５】
【補正対象書類名】明細書
【補正対象項目名】０００８
【補正方法】変更
【補正の内容】
【０００８】
請求項１記載の発明は、ユーザが操作するユーザ端末とネットワークを通じて接続された情報個別管理システムであって、前記ユーザが選択した前記ユーザ端末のディスプレイに表示するコンテンツデータを特定する情報及び前記コンテンツデータのディスプレイ上の表示位置に関する情報を含む個別データを、前記ユーザ端末より受信する個別データ受信手段と、前記個別データ受信手段が受信した個別データに、前記ユーザを識別する識別情報を付した個別表示データリストをユーザ別に格納する個別表示データリスト格納手段と、ユーザ端末のディスプレイに表示するコンテンツデータの表示要求を、前記ユーザ端末より受信する表示要求受信手段と、前記表示要求を受信すると、前記個別データ格納手段に格納された個別表示データリストから、前記表示要求を行ったユーザに対応する個別表示データリストを特定して前記ユーザ端末に送信する個別表示データリスト送信手段と、を備えていて、前記個別表示データリスト格納手段に格納された個別データは、前記コンテンツデータを前記コンテンツデータの格納場所であるアドレスから特定し、前記個別表示データリスト送信手段は、前記表示要求を行ったユーザに対応する個別表示データリストを前記識別情報をキーに特定することを特徴とする情報個別管理システムである。また、請求項２記載の発明は、コンテンツデータを提供する提供者端末より、前記コンテンツデータの格納場所であるアドレスと前記コンテンツデータを配信するユーザに関する情報を受信する配信情報受信手段と、前記配信情報受信手段が受信したユーザに関する情報から前記コンテンツデータを配信する配信先ユーザを特定し、前記個別表示データリスト格納手段の前記配信先ユーザに対応する個別表示データリストに前記アドレスを書き込むアドレス書込手段と、を備えることを特徴とする情報個別管理システムである。
【手続補正６】
【補正対象書類名】明細書
【補正対象項目名】００１０
【補正方法】変更
【補正の内容】
【００１０】
請求項３記載の発明は、前記個別表示データリスト格納手段に格納される個別表示データリストには、前記コンテンツデータの表示属性又は前記コンテンツデータの表示タイミングの少なくとも一つに関する情報が格納されていて、前記コンテンツデータはユーザ端末において前記表示属性又は前記表示タイミングに従って表示されることを特徴とする情報個別管理システムである。
【手続補正７】
【補正対象書類名】明細書
【補正対象項目名】００１２
【補正方法】変更
【補正の内容】
【００１２】
請求項４記載の発明は、前記個別表示データリスト格納手段に格納されたコンテンツデータを特定する情報を更新するコンテンツデータ更新手段を備えていて、前記コンテンツデータ更新手段は、前記コンテンツデータを特定する情報であるアドレスに、前記コンテンツデータを特定する情報の更新時刻を示すパラメータを付したデータを前記個別表示データリスト格納手段に格納することを特徴とする情報個別管理システムである。
【手続補正８】
【補正対象書類名】明細書
【補正対象項目名】００１３
【補正方法】変更
【補正の内容】
【００１３】
請求項５記載の発明は、ユーザが操作するユーザ端末と、前記ユーザ端末とネットワークを通じて接続された情報格納サーバとの間でデータの送受信を行う情報個別管理方法であって、前記ユーザ端末が、前記ユーザが選択した前記ユーザ端末のディスプレイに表示するコンテンツデータを特定する情報及び前記コンテンツデータのディスプレイ上の表示位置に関する情報を含む個別データを、前記情報格納サーバに送信するステップと、前記情報格納サーバが、前記個別データを受信して、前記個別データに前記ユーザを識別する識別情報を付した個別表示データリストをユーザ別に格納するステップと、前記ユーザ端末が、ユーザ端末のディスプレイに表示するコンテンツデータの表示要求を前記情報格納サーバに送信するステップと、前記情報格納サーバが、前記表示要求を受信して、前記情報格納サーバに格納された個別表示データリストから、前記表示要求を行ったユーザに対応する個別表示データリストを特定して前記ユーザ端末に送信するステップと、前記ユーザ端末が、前記個別表示データリストに従って前記ユーザ端末のディスプレイにコンテンツデータを表示するステップと、を有していて、前記情報格納サーバに格納された個別データは、前記コンテンツデータを前記コンテンツデータの格納場所であるアドレスから特定し、前記情報格納サーバは、前記表示要求を行ったユーザに対応する個別表示データリストを前記識別情報をキーに特定することを特徴とする情報個別管理方法である。
【手続補正９】
【補正対象書類名】明細書
【補正対象項目名】００１４
【補正方法】変更
【補正の内容】
【００１４】
請求項６記載の発明は、ユーザが操作するユーザ端末において、前記ユーザ端末とネットワークを通じて接続された情報格納サーバとの間でデータの送受信を行うための情報個別管理プログラムであって、前記ユーザ端末に、前記ユーザが選択した前記ユーザ端末のディスプレイに表示するコンテンツデータを特定する情報及び前記コンテンツデータのディスプレイ上の表示位置に関する情報を含む個別データを、前記情報格納サーバに前記個別データに前記ユーザを識別する識別情報を付した個別表示データリストとしてユーザ別に格納するために送信するステップと、前記ユーザ端末のディスプレイに表示するコンテンツデータの表示要求を前記情報格納サーバに送信するステップと、前記情報格納サーバに格納された個別表示データリストから、前記識別情報をキーに特定された前記ユーザに対応する個別表示データリストを受信するステップと、前記個別表示データリストに従って前記ユーザ端末のディスプレイにコンテンツデータを表示するステップと、を実行させるためのプログラムであって、前記個別データにおいて、前記コンテンツデータは前記コンテンツデータの格納場所であるアドレスから特定されていることを特徴とする情報個別管理プログラムである。
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】削除
【補正の内容】
【手続補正１７】
【補正対象書類名】明細書
【補正対象項目名】００２２
【補正方法】削除
【補正の内容】